(57)【要約】【課題】レセプタクルとノズルとを接続するときに、レセプタクルの外周部に付着した水分を除去することで、レセプタクルとノズルとの間での水分の凍結を抑制する技術を提供する。【解決手段】レセプタクルに接続してレセプタクルにガスを供給するガス供給ノズルは、ガス供給ノズルとレセプタクルとの接続のためにガス供給ノズルがレセプタクルに対して近づく第１の方向に相対移動するときに、レセプタクルの外周部に接触して、第１の方向に沿ってレセプタクルに対して相対移動することで、外周部に付着した水分を除去する水分除去部を備える。【選択図】図５
2013164142.tif 000002
【特許請求の範囲】
【請求項１】
レセプタクルに接続して前記レセプタクルにガスを供給するガス供給ノズルであって、
前記ガス供給ノズルと前記レセプタクルとの接続のために前記ガス供給ノズルが前記レセプタクルに対して近づく第１の方向に相対移動するときに、前記レセプタクルの外周部に接触して、前記第１の方向に沿って前記レセプタクルに対して相対移動することで、前記外周部に付着した水分を除去する水分除去部を備える、ガス供給ノズル。
【請求項２】
請求項１に記載のガス供給ノズルであって、
前記第１の方向と略平行な前記ガス供給ノズルの中心軸から前記水分除去部における前記接触する部分の先端までの距離は、前記レセプタクルにおける前記水分除去部に接触されるべき部分の最小径よりも小さい、ガス供給ノズル。
【請求項３】
請求項１または請求項２に記載のガス供給ノズルであって、
前記水分除去部は、前記水分を掻き出す材料により構成されている、ガス供給ノズル。
【請求項４】
請求項１ないし請求項３のいずれかに記載のガス供給ノズルであって、
前記水分除去部は、前記水分を吸収する材料で構成されている、ガス供給ノズル。
【請求項５】
請求項１ないし請求項４のいずれかに記載のガス供給ノズルであって、さらに、
内部に前記レセプタクルに供給するガスを吐出する吐出口と前記レセプタクルとを連通する本体部を備え、
前記水分除去部は、前記レセプタクルに接触する接触部と、前記接触部を前記本体部に固定する固定部と、を含む、ガス供給ノズル。
【請求項６】
請求項５に記載のガス供給ノズルであって、
前記第１の方向と略平行な前記ガス供給ノズルの中心軸から前記固定部における内周面までの距離は、前記レセプタクルにおける前記接触部に接触されるべき部分の最大径よりも大きい、ガス供給ノズル。
【請求項７】
請求項５または請求項６に記載のガス供給ノズルであって、
前記接触部は、前記第１の方向に略垂直な１つの平面上において、分割して配置された複数の平板部から構成されている、ガス供給ノズル。
【請求項８】
請求項７に記載のガス供給ノズルであって、
前記水分除去部は、前記固定部における前記第１の方向に沿って複数の前記接触部を含み、
各前記平板部は、隣接する他の前記平板部と所定の隙間を設けて配置され、
一の前記接触部における前記所定の隙間と他の前記接触部における前記所定の隙間とは、前記第１の方向に沿って重ならない位置に形成されている、ガス供給ノズル。
【請求項９】
請求項１ないし請求項８のいずれかに記載のガス供給ノズルであって、
前記ガス供給ノズルは、前記水分除去部が前記第１の方向に沿って前記レセプタクルに対して相対移動するときに、前記レセプタクルが相対移動する方向と重力方向とのなす角度が９０度未満になるように構成されている、ガス供給ノズル。
【請求項１０】
ガス供給システムであって、
請求項１ないし請求項９のいずれかに記載の前記ガス供給ノズルと、
前記レセプタクルと、
前記水分除去部に付着した水分を吸引する吸引部と、を備える、ガス供給システム。
【請求項１１】
ガス供給ノズルに接続して前記ガス供給ノズルからガスを供給されるレセプタクルであって、
内部に前記ガス供給ノズルから前記ガスを供給される本体部と、
前記ガス供給ノズルと前記本体部との接続のために前記ガス供給ノズルが前記本体部に対して近づく第１の方向に相対移動するときに、前記本体部の外周部に接触して、前記第１の方向に沿って前記本体部に対して相対移動することで、前記外周部に付着した水分を除去する水分除去部と、を備える、レセプタクル。
【請求項１２】
請求項１１に記載のレセプタクルであって、
前記水分除去部は、前記本体部の外周部に接触する接触部と、前記本体部と前記接触部とを結合して前記第１の方向に沿って伸縮する伸縮部と、を含み、
前記伸縮部は、伸びているときには前記第１の方向に沿って前記本体部の外周を覆い、前記ガス供給ノズルに押されることで縮んでいるときには前記本体部に対して前記接触部が前記第１の方向に沿って相対移動できるように構成されている、レセプタクル。
【請求項１３】
ガスを燃料として移動する移動体であって、
請求項１１または請求項１２に記載のレセプタクルを備える、移動体。
【請求項１４】
ガス供給システムであって、
請求項１ないし請求項９のいずれかに記載のガス供給ノズルと、
請求項１１または請求項１２に記載のレセプタクルと、を備える、ガス供給システム。
【発明の詳細な説明】
【技術分野】
【０００１】
本発明は、ガス供給ノズル、ガス供給システム、レセプタクルおよび移動体に関する。
【背景技術】
【０００２】
近年になり、水素ガスを燃料ガスとする燃料電池を搭載した車両が実用化されつつある。燃料電池搭載車両の普及促進および品質向上には、こうした車両に短時間で水素ガスを供給することが望ましい。燃料電池搭載車両に水素ガスを供給する水素供給ステーションでは、水素ガスの供給を受ける車両側のレセプタクルと水素ガスを供給するガス供給装置のノズルとを接続させて、短時間で水素ガスを供給するために高圧（例えば、７０ＭＰａ）でガス供給装置から車両のタンクに水素ガスが供給される。
【０００３】
ガス供給装置のノズルからレセプタクルに高圧で水素ガスを供給すると、断熱膨張によって水素ガスの温度が上昇するので、ガス供給装置では、車両のタンクの温度上昇を抑えるために、一般的に、摂氏マイナス２０度から摂氏マイナス４０度程度に予冷却（プレクール）した水素ガスを車両のタンクに供給する。そのため、水素ガスの供給時には、接続しているノズルおよびレセプタクルは、低温の水素ガスの通過によって冷却される。この冷却によって、レセプタクル表面およびレセプタクル構造内部にて空気中の水分が結露し、レセプタクルとノズルとの間で水分が凍結してしまい、レセプタクルからのノズルを取り外すときに支障をきたす場合があった。レセプタクルとノズルとの間での水分の凍結を防止するため、ガス供給装置から車両のタンクに水素ガスを供給するときに、接続している部分をカバーで覆うことにより、雨天時における雨水のレセプタクルおよびノズルへの付着を抑制する技術が知られている（例えば、特許文献１参照）。
【先行技術文献】
【特許文献】
【０００４】
【特許文献１】ＷＯ２０１０／０６７４４４号公報
【特許文献２】特開２０１１−０４７４９１号公報
【特許文献３】特開２００９−２０８５３４号公報
【発明の概要】
【発明が解決しようとする課題】
【０００５】
しかし、上記従来技術では、レセプタクルとノズルとが接続している部分のカバーによって、カバー外部の水分がレセプタクルおよびノズルに付着することを抑制できるものの、カバー内部における空気中の水分が凍結するため、レセプタクルからノズルを取り外すときに支障をきたす場合があった。
【０００６】
本発明は、上述の課題を解決するためになされたものであり、レセプタクルとノズルとの間での水分の凍結を抑制する技術を提供することを目的としている。
【課題を解決するための手段】
【０００７】
上記課題の少なくとも一部を解決するために、本発明は、以下の形態または適用例として実現することが可能である。
【０００８】
［適用例１］レセプタクルに接続して前記レセプタクルにガスを供給するガス供給ノズルであって、
前記ガス供給ノズルと前記レセプタクルとの接続のために前記ガス供給ノズルが前記レセプタクルに対して近づく第１の方向に相対移動するときに、前記レセプタクルの外周部に接触して、前記第１の方向に沿って前記レセプタクルに対して相対移動することで、前記外周部に付着した水分を除去する水分除去部を備える、ガス供給ノズル。
【０００９】
このガス供給ノズルでは、ガス供給ノズルとレセプタクルとの接続のため、レセプタクルをガス供給ノズルに挿入するときに、水分除去部は、挿入されるレセプタクルに対して相対的に移動することで、レセプタクルの外周部に付着した水分を除去する。そのため、このガス供給ノズルでは、ガス供給ノズルとレセプタクルとの接続部分における空気中の水分の凍結を抑制し、ガス供給後に、レセプタクルからガス供給ノズルを容易に取り外すことができる。
【００１０】
［適用例２］適用例１に記載のガス供給ノズルであって、
前記第１の方向と略平行な前記ガス供給ノズルの中心軸から前記水分除去部における前記接触する部分の先端までの距離は、前記レセプタクルにおける前記水分除去部に接触されるべき部分の最小径よりも小さい、ガス供給ノズル。
【００１１】
このガス供給ノズルでは、ガス供給ノズルの中心軸から水分除去部におけるレセプタクルに接触する部分の先端部までの距離は、水分除去部が接触するレセプタクルにおける外周面のうちの最小径よりも小さい。そのため、このガス供給ノズルでは、水分除去部は、レセプタクルの外周面を中心軸に向かって押圧するので、レセプタクルの外周面に付着している水分をより除去することができる。
【００１２】
［適用例３］適用例１または適用例２に記載のガス供給ノズルであって、
前記水分除去部は、前記水分を掻き出す材料により構成されている、ガス供給ノズル。
【００１３】
このガス供給ノズルでは、ガス供給ノズルの水分除去部は水分を掻き出す材料により構成されているので、水分除去部が簡単な構成でレセプタクルの外周面に付着している水分を除去することができる。
【００１４】
［適用例４］適用例１ないし適用例３のいずれかに記載のガス供給ノズルであって、
前記水分除去部は、前記水分を吸収する材料で構成されている、ガス供給ノズル。
【００１５】
前記水分除去部は、水分を吸収する材料で構成されているので、レセプタクルの外周面に付着した水分を吸収することで水分の拭き残しを少なくすることができる。
【００１６】
［適用例５］適用例１ないし適用例４のいずれかに記載のガス供給ノズルであって、さらに、
内部に前記レセプタクルに供給するガスを吐出する吐出口と前記レセプタクルとを連通する本体部を備え、
前記水分除去部は、前記レセプタクルに接触する接触部と、前記接触部を前記本体部に固定する固定部と、を含む、ガス供給ノズル。
【００１７】
このガス供給ノズルでは、ガス供給ノズルは、内部にレセプタクルにガスを吐出する吐出口とレセプタクルとを連通する本体部を備えている。水分除去部は、レセプタクルに接触する接触部と、接触部を本体部に固定する固定部と、を含んでいる。そのため、このガス供給ノズルでは、ガス供給ノズルに配置された固定部に形成された接触部がレセプタクルの外周面に付着した水分を除去することができる。
【００１８】
［適用例６］適用例５に記載のガス供給ノズルであって、
前記第１の方向と略平行な前記ガス供給ノズルの中心軸から前記固定部における内周面までの距離は、前記レセプタクルにおける前記接触部に接触されるべき部分の最大径よりも大きい、ガス供給ノズル。
【００１９】
このガス供給ノズルでは、ガス供給ノズルの中心軸から水分除去部における固定部の内周面までの距離は、レセプタクルの外周面における水分除去部の接触部が接触する最大径よりも大きい。そのため、このガス供給ノズルでは、ガス供給ノズルとレセプタクルとを接続するときに、水分除去部とレセプタクルとが干渉しないので、ガス供給ノズルとレセプタクルとの取り外しをスムーズに行うことができる。
【００２０】
［適用例７］適用例５または適用例６に記載のガス供給ノズルであって、
前記接触部は、前記第１の方向に略垂直な１つの平面上において、分割して配置された複数の平板部から構成されている、ガス供給ノズル。
【００２１】
このガス供給ノズルでは、水分除去部の接触部は、ガス供給ノズルに略垂直な１つの面において、分割して配置された複数の平板部から構成されているので、ガス供給ノズルにレセプタクルを挿入するときの抵抗が少なく、ガス供給ノズルにレセプタクルをスムーズに挿入させることができる。
【００２２】
［適用例８］適用例７に記載のガス供給ノズルであって、
前記水分除去部は、前記固定部における前記第１の方向に沿って複数の前記接触部を含み、
各前記平板部は、隣接する他の前記平板部と所定の隙間を設けて配置され、
一の前記接触部における前記所定の隙間と他の前記接触部における前記所定の隙間とは、前記第１の方向に沿って重ならない位置に形成されている、ガス供給ノズル。
【００２３】
このガス供給ノズルでは、水分除去部の接触部は、ガス供給ノズルの中心軸の方向に沿って複数の面に、分割して配置された複数の平板部で構成されている。複数の隣接する平板部に設けられた所定の隙間は、一の接触部における所定の隙間と他の接触部における所定の隙間とが中心軸の方向に沿って重ならない位置に形成されている。そのため、このガス供給ノズルでは、ガス供給ノズルにレセプタクルを挿入するときの抵抗を少なくした上で、レセプタクルの外周面に付着した水分の拭き残しを少なくすることができる。
【００２４】
［適用例９］適用例１ないし適用例８のいずれかに記載のガス供給ノズルであって、
前記ガス供給ノズルは、前記水分除去部が前記第１の方向に沿って前記レセプタクルに対して相対移動するときに、前記レセプタクルが相対移動する方向と重力方向とのなす角度が９０度未満になるように構成されている、ガス供給ノズル。
【００２５】
このガス供給ノズルでは、水分除去部が前記レセプタクルに対して相対移動する方向と重力方向とのなす角度は９０度未満となり、レセプタクルの外周面に付着した水分を重力の利用によって除去するので、除去した水分がレセプタクルに再度付着することを抑制でき、効率よく水分を除去することができる。
【００２６】
［適用例１０］ガス供給システムであって、
適用例１ないし適用例９のいずれかに記載の前記ガス供給ノズルと、
前記レセプタクルと、
前記水分除去部に付着した水分を吸引する吸引部と、を備える、ガス供給システム。
【００２７】
このガス供給システムでは、水分除去部に付着した水分を吸引する吸引部を備えるので、水分除去部の接触部に水分が蓄積されるのを抑制することができ、レセプタクルの外周面に付着した水分の拭き残しを少なくすることができる。
【００２８】
［適用例１１］ガス供給ノズルに接続して前記ガス供給ノズルからガスを供給されるレセプタクルであって、
内部に前記ガス供給ノズルから前記ガスを供給される本体部と、
前記ガス供給ノズルと前記本体部との接続のために前記ガス供給ノズルが前記本体部に対して近づく第１の方向に相対移動するときに、前記本体部の外周部に接触して、前記第１の方向に沿って前記本体部に対して相対移動することで、前記外周部に付着した水分を除去する水分除去部と、を備える、レセプタクル。
【００２９】
このレセプタクルでは、ガス供給ノズルからガスを供給される本体部と、レセプタクルの外周部に付着した水分を除去する水分除去部と、を備える。水分除去部は、ガス供給ノズルとレセプタクルとが接続のためにガス供給ノズルがレセプタクルの本体部に対して相対移動するときに、本体部の外周部に接触して、ガス供給ノズルとレセプタクルとの相対移動の方向に沿って移動する。そのため、このレセプタクルでは、ガス供給ノズルに水分除去部を備えなくても、レセプタクルの外周部に付着した水分を除去することができる。
【００３０】
［適用例１２］適用例１１に記載のレセプタクルであって、
前記水分除去部は、前記本体部の外周部に接触する接触部と、前記本体部と前記接触部とを結合して前記第１の方向に沿って伸縮する伸縮部と、を含み、
前記伸縮部は、伸びているときには前記第１の方向に沿って前記本体部の外周を覆い、前記ガス供給ノズルに押されることで縮んでいるときには前記本体部に対して前記接触部が前記第１の方向に沿って相対移動できるように構成されている、レセプタクル。
【００３１】
このレセプタクルでは、レセプタクルの水分除去部は、レセプタクルの本体部における外周部に接触する接触部と、本体部と接触部とを結合してガス供給ノズルにレセプタクルを挿入するガス供給ノズルの中心軸の方向に沿って伸縮する伸縮部と、を含んでいる。伸縮部は、伸びているときには中心軸の方向に沿って本体部の外周を覆い、縮んでいるときには本体部に対して接触部が中心軸の方向に沿って相対移動できる。そのため、このレセプタクルでは、ガス供給ノズルとレセプタクルとが接続していないときにも、レセプタクルの本体部に水分が付着することをより抑制することができる。
【００３２】
なお、本発明は、種々の態様で実現することが可能であり、例えば、ガス供給ノズル、ガス供給システム、ガスを供給されるレセプタクル、水素ガスを燃料とする燃料電池、燃料電池スタック、燃料電池を搭載した移動体、ガスを供給する装置、ガスを供給される装置、ガス供給ステーション等の態様で実現することができる。
【図面の簡単な説明】
【００３３】
【図１】本発明の実施例におけるガス供給システム５００の概略を示す説明図である。
【図２】本実施例におけるガス供給ノズル１００の概略構成を示す説明図である。
【図３】本実施例におけるガス供給ノズル１００の水分除去部１５０の詳細を示す説明図である。
【図４】本実施例におけるレセプタクル３００の概略構成を示す説明図である。
【図５】本実施例におけるガス供給ノズル１００にレセプタクル３００が挿入されている状態の一例を示す説明図である。
【図６】本実施例におけるガス供給ノズル１００がレセプタクル３００に嵌合された状態を示す説明図である。
【図７】第１実施例の第１の変形例におけるガス供給ノズル１００ａにレセプタクル３００が挿入されている状態の一例を示す説明図である。
【図８】第１実施例の第２の変形例におけるガス供給ノズル１００ｂにレセプタクル３００が挿入されている状態の一例を示す説明図である。
【図９】第１実施例の第２の変形例における水分除去部１５０ｂの詳細を示す説明図である。
【図１０】第１実施例の第３の変形例におけるガス供給ノズル１００ｃにレセプタクル３００が挿入されている状態の一例を示す説明図である。
【図１１】第１実施例の第３の変形例における水分除去部１５０ｃの詳細を示す説明図である。
【図１２】第１実施例の第４の変形例におけるガス供給システム５００ｄの概略を示す説明図である。
【図１３】第２実施例におけるレセプタクル３００ｅの概略構成を示す説明図である。
【図１４】ガス供給ノズル１００にレセプタクル３００ｅを挿入されている状態の一例を示す説明図である。
【図１５】変形例におけるガス供給ノズル１００ｆにレセプタクル３００を挿入されている状態の一例を示す説明図である。
【図１６】変形例におけるガス供給システム５００ｇの概略を示す説明図である。
【発明を実施するための形態】
【００３４】
次に、本発明の実施の形態を実施例に基づいて以下の順序で説明する。
Ａ．第１実施例：
Ａ−１．ガス供給システムの構成：
Ａ−２．ガス供給ノズルおよびレセプタクルの構成：
Ｂ．第２実施例：
Ｃ．変形例：
【００３５】
Ａ．第１実施例：
Ａ−１．ガス供給システムの構成：
図１は、本発明の実施例におけるガス供給システム５００の概略を示す説明図である。ガス供給システム５００は、ガス供給装置１０と、燃料電池搭載車両５０と、を備える。ガス供給装置１０は、燃料電池搭載車両５０に燃料となる水素ガスを供給する。燃料電池搭載車両５０は、ガス供給装置１０からの水素ガスの供給を受けて、水素ガスを燃料として発電し、発電による電力によって走行する。
【００３６】
ガス供給装置１０は、ガス供給ノズル１００と、水素貯蔵タンク２１０と、供給ホース２３０と、バルブ２２０と、を備える。ガス供給ノズル１００は、後述するが、燃料電池搭載車両５０と接続されて、燃料電池搭載車両５０に水素ガスを供給する。水素貯蔵タンク２１０は、水素ガスを貯蔵するタンクである。本実施例の水素貯蔵タンク２１０は、摂氏マイナス２０度から摂氏マイナス４０度程度に予冷却して、圧力７０ＭＰａ程度で水素ガスを貯蔵している。供給ホース２３０は、水素貯蔵タンク２１０とガス供給ノズル１００とを接続している。バルブ２２０は、水素貯蔵タンク２１０と供給ホース２３０との接続の開閉を行う。水素貯蔵タンク２１０は、バルブ２２０および供給ホース２３０を介してガス供給ノズル１００と接続されている。ガス供給装置１０は、バルブ２２０が開いている状態のとき、供給ホース２３０を介して、水素ガスをガス供給ノズル１００に供給する。
【００３７】
燃料電池搭載車両５０は、レセプタクル３００と、車載タンク４１０と、燃料電池４２０と、を備えている。レセプタクル３００は、ガス供給ノズル１００から水素ガスを供給される受入口である。燃料電池搭載車両５０に対する水素ガスの供給は、レセプタクル３００にガス供給ノズル１００を接続された状態で行われる。レセプタクル３００は、水平方向に対して所定の角度θだけ重力方向と反対の向きに傾斜して燃料電池搭載車両５０に配置されている。すなわち、ガス供給ノズル１００にレセプタクル３００が挿入されるときに、レセプタクル３００に対してガス供給ノズル１００が移動する方向は、水平方向に対して角度θだけ下向きである（この点については後述する）。レセプタクル３００に供給された水素ガスは、供給管４１２を介して車載タンク４１０に収容される。本実施例では、水素ガスは、ガス供給ノズル１００からレセプタクル３００に圧力７０ＭＰａ程度で供給される。車載タンク４１０に収容された水素ガスは、供給管４１４を介して燃料電池４２０に供給される。燃料電池４２０は、供給された水素ガスを燃料として発電を行う。燃料電池搭載車両５０は、燃料電池４２０の発電によって得られた電力により走行可能となる。
【００３８】
Ａ−２．ガス供給ノズルおよびレセプタクルの構成：
図２は、本実施例におけるガス供給ノズル１００の概略構成を示す説明図である。図３は、本実施例におけるガス供給ノズル１００の水分除去部１５０の詳細を示す説明図である。図４は、本実施例におけるレセプタクル３００の概略構成を示す説明図である。図５は、本実施例におけるガス供給ノズル１００にレセプタクル３００が挿入されている状態の一例を示す説明図である。図６は、本実施例におけるガス供給ノズル１００がレセプタクル３００に嵌合された状態を示す説明図である。図２には、ガス供給ノズル１００の断面の一部を示している。図３には、図２における断面Ａ−Ａを示している。図４には、レセプタクル３００の断面の一部を示している。
【００３９】
図２に示すように、ガス供給ノズル１００は、中心軸ＯＬ１を中心とした略円筒状の部品である。ガス供給ノズル１００は、外管部１１０と、内管部１４０と、水分除去部１５０と、スリーブ１２０と、ロックピン１３０と、を備えている。外管部１１０は、略円筒状の部品である。外管部１１０は、外管部１１０の中心軸ＯＬ１に沿って一方（図２下方側）の端部である先端部１１７に円形の開口部１１１を有している。開口部１１１の直径は、Ｄ１である。外管部１１０は、略円筒状の外形を有する外周壁１１３と、外周壁１１３の内側に形成される略円筒状の内周壁１１５と、を備え、外周壁１１３と内周壁１１５との間には、空間部１１６が形成されている。
【００４０】
内管部１４０は、筒状の部品である。内管部１４０は、内管部１４０の中心軸がガス供給ノズル１００の中心軸ＯＬ１と一致するようにして外管部１１０の内側に配置されている。中心軸ＯＬ１における内管部１４０の一方の端部である先端部１４１は、外管部１１０の開口部１１１を向くように配置されている。内管部１４０の内部には、水素ガスを供給する供給管１４３が形成されている。供給管１４３は、供給管１４３の中心軸ＯＬ１における一方（図２上方側、図示しない）の端部でガス供給装置１０の供給ホース２３０（図１）に接続している。供給管１４３の先端部１４１には、吐出口１４２が形成されている。内管部１４０は、先端部１４１の近くにＯリング１４４が配置される。内管部１４０は、内管部１４０における外周面１４６のうちで中心軸ＯＬ１に略垂直な断面積が最も大きい当接部１４５を有する。当接部１４５は、フランジ状の外形を有する。当接部１４５は、中心軸ＯＬ１に沿ってロックピン１３０の突起部１３１よりも開口部１１１から遠い位置に配置される。
【００４１】
水分除去部１５０は、ガス供給ノズル１００における外管部１１０の先端部１１７に形成されている。水分除去部１５０は、固定部１５２と、接触部１５３と、を有している。固定部１５２は、図３に示すように、中心軸ＯＬ１を中心とした円筒状に形成されている。中心軸ＯＬ１を中心とした固定部１５２の内周の直径Ｄ２は、開口部１１１の直径Ｄ１以上である。固定部１５２には、図２に示すように、中心軸ＯＬ１に沿って先端部１１７に固定された端部とは反対側の端部付近に、固定部１５２の内周部分から中心軸ＯＬ１に向かって接触部１５３が形成されている。接触部１５３は、複数の細かい毛状の材料から形成、すなわち、ブラシ状に形成されている。接触部１５３を形成する材料（毛）のうち、中心軸ＯＬ１に垂直な面において、最も中心軸ＯＬ１に近い毛の先端で形成される円の直径はＤ３である。接触部１５３の先端の直径Ｄ３は、開口部１１１の直径Ｄ１よりも小さい。なお、接触部１５３は、吸水性のある材料で形成されても良い。
【００４２】
外管部１１０における空間部１１６には略円筒状のスリーブ１２０が配置されている。スリーブ１２０は、略円筒状の部品である。スリーブ１２０は、ロックピン１３０を押し動かすための部品である。そのため、スリーブ１２０は、中心軸ＯＬ１に移動可能に構成されている。スリーブ１２０は、モータなどの駆動装置１６０を動力源にして移動する。また、スリーブ１２０は、手動により移動することも可能である。
【００４３】
ロックピン１３０は、ガス供給ノズル１００とレセプタクル３００とを接続させるために、レセプタクル３００を係止するための部品である。ロックピン１３０は、中心軸ＯＬ１に沿って内周壁１１５をくり抜いた部分に配置されている。ロックピン１３０は、中心軸ＯＬ１に沿って、一方の端部が外管部１１０の中心軸ＯＬ１に向かう方向に突出している突起部１３１と、突起部１３１の背面に形成されている背面部１３２と、を備えている。ロックピン１３０は、中心軸ＯＬ１を中心とした外管部１１０に内周面１１４の周方向に沿って等間隔に複数（例えば６つ）配置されている。ロックピン１３０は、中心軸ＯＬ１に向かう方向に突起部１３１が揺動できるように配置されている。
【００４４】
図４に示すように、レセプタクル３００は、レセプタクル３００の中心軸ＯＬ２を中心とした略円筒状の部品である。レセプタクル３００の外周面３１０は、先端径部３１４と、縮径部３１２と、挿入大径部３１１と、挿入接触面３１８と、外大径部３１６と、で形成されている。中心軸ＯＬ２に沿ったレセプタクル３００の一方（図４上方側）の端面である先端面３１５には、受入口３２１が形成されている。受入口３２１は、レセプタクル３００の内部に形成された受入管３２５と連通している。
【００４５】
受入管３２５の内周面３２７には、所定の部分に中心軸ＯＬ２を中心として全周にわたってＯリング３３１が配置される。レセプタクル３００の先端径部３１４は、先端面３１５と同じ直径の外周面である。外周面３１０の縮径部３１２は、レセプタクル３００の他の外周面３１０に比べて径が小さくなるように形成され、中心軸ＯＬ２に垂直な面における直径は、Ｄ４である。レセプタクル３００の挿入大径部３１１は、ガス供給ノズル１００とレセプタクル３００とを接続するときに、ガス供給ノズル１００の外管部１１０に内包される部分であり、中心軸ＯＬ２に垂直な面における挿入大径部３１１の直径はＤ５である。挿入大径部３１１には、外周面３１０の所定の部分に中心軸ＯＬ２を中心として全周に渡ってＯリング３３２が配置される。挿入接触面３１８は、レセプタクル３００の中心軸ＯＬ２の略垂直に形成された面である。外大径部３１６は、ガス供給ノズル１００とレセプタクル３００とが接続するときに、レセプタクル３００の外周面３１０のうち、ガス供給ノズル１００の外部に配置される部分である。中心軸ＯＬ２に垂直な面における外大径部３１６の直径は、Ｄ６である。
【００４６】
図５には、ガス供給ノズル１００に水滴ｗｄが付着したレセプタクル３００を挿入されている途中の状態を示している。図５に示すように、レセプタクル３００の外周面３１０には、複数の水滴ｗｄが付着している場合がある。これは、外周面３１０に雨水が付着したり、空気中に含まれる水分が結露したりするためである。ガス供給ノズル１００の中心軸ＯＬ１とレセプタクル３００の中心軸ＯＬ２とが重なるように、ガス供給ノズル１００の開口部１１１にレセプタクル３００を挿入すると、水分除去部１５０の接触部１５３は、レセプタクル３００の外周面３１０に接触する。接触部１５３の直径Ｄ３は、外周面３１０における最小の径である縮径部３１２の直径Ｄ４よりも小さいため、レセプタクル３００をガス供給ノズル１００の開口部１１１から挿入するときに、常に接触部１５３は、レセプタクル３００の外周面３１０に接触する。また、接触部１５３は、中心軸ＯＬ１の外周から中心に向かってレセプタクル３００の外周面３１０を押圧する。水分除去部１５０の接触部１５３は、外周から中心軸ＯＬ１を中心として全周にわたって隙間なく配置されているため、レセプタクル３００の縮径部３１２に全周にわたって接触して、押圧している。よって、ガス供給ノズル１００の接触部１５３は、挿入されるレセプタクル３００に対して中心軸ＯＬ１に沿って相対的に移動することで、外周面３１０に付着している水滴ｗｄを先端部１１７からガス供給ノズル１００の内部に入れないようにレセプタクル３００の外周面３１０に沿って掻き出す。
【００４７】
図６には、ガス供給ノズル１００にレセプタクル３００が挿入され、ガス供給ノズル１００のロックピン１３０とレセプタクル３００の縮径部３１２とが嵌合して、ガス供給ノズル１００とレセプタクル３００とが接続している状態を示している。図６に示すように、レセプタクル３００をガス供給ノズル１００の開口部１１１から外管部１１０の内部に挿入すると、ガス供給ノズル１００における内管部１４０の当接部１４５とレセプタクル３００における先端面３１５とが当接する。本実施例では、当接部１４５と先端面３１５とが当接すると、駆動装置１６０（図２）が駆動する。駆動装置１６０は、スリーブ１２０を中心軸ＯＬ１に沿ってガス供給ノズル１００からレセプタクル３００の方向に移動させる。スリーブ１２０が中心軸ＯＬ１に沿って移動すると、スリーブ１２０の先端がロックピン１３０の背面部１３２に接触して、ロックピン１３０は、揺動して中心軸ＯＬ１に向かう方向に移動する。これによって、ロックピン１３０の突起部１３１は、レセプタクル３００における縮径部３１２に係止して嵌合し、ガス供給ノズル１００とレセプタクル３００とが接続される状態（以下、「ロック状態」とも呼ぶ）となる。なお、ロック状態のときに、ガス供給ノズル１００の先端部１１７とレセプタクル３００の挿入接触面３１８とは当接する。
【００４８】
ロック状態のときに、ガス供給ノズル１００における当接部１４５および先端部１１７は、レセプタクル３００における先端面３１５および挿入接触面３１８と当接して、レセプタクル３００がガス供給ノズル１００に一定以上挿入されないように規制している。ガス供給ノズル１００における固定部１５２の直径Ｄ２は、レセプタクル３００における挿入大径部３１１の直径Ｄ５よりも大きいため、ガス供給ノズル１００にレセプタクル３００を挿入するときに、固定部１５２がレセプタクル３００に干渉することはない。また、ガス供給ノズル１００における水分除去部１５０の接触部１５３を形成している毛は、所定の長さ以下であり、ロック状態のときに、ガス供給ノズル１００の開口部１１１から外管部１１０の内部に巻き込まれることはない。
【００４９】
Ｏリング１４４とＯリング３３１とＯリング３３２とは、断面が略円形状の環状の封止部品である。Ｏリング１４４とＯリング３３１とＯリング３３２との材質は、例えば、樹脂等によって形成される。Ｏリング１４４およびＯリング３３１は、ガス供給ノズル１００の吐出口１４２からレセプタクル３００の受入管３２５に吐出される水素ガスがガス供給ノズル１００やレセプタクル３００の外部に漏れないように密閉している。Ｏリング３３２は、ロック状態のときに、外部からの水滴ｗｄがガス供給ノズル１００やレセプタクル３００の内部に入らないように密閉している。
【００５０】
以上説明したように、本実施例のガス供給ノズル１００では、レセプタクル３００をガス供給ノズル１００に挿入するときに、水分除去部１５０の接触部１５３は、レセプタクル３００の外周面３１０に接触する。水分除去部１５０の接触部１５３は、挿入されるレセプタクル３００に対して中心軸ＯＬ１に沿って相対的に移動することで、レセプタクル３００の外周面３１０に付着している水滴ｗｄを先端部１１７からガス供給ノズル１００の内部に入れないように除去する。そのため、本実施例のガス供給ノズル１００では、ガス供給ノズル１００とレセプタクル３００との接続している内部に水滴ｗｄを浸入させないので、ガス供給ノズル１００とレセプタクル３００との接続部分における空気中の水分の凍結を抑制し、ガス供給後に、レセプタクル３００からガス供給ノズル１００を容易に取り外すことができる。
【００５１】
また、本実施例のガス供給ノズル１００では、ガス供給ノズル１００における接触部１５３の先端部の直径Ｄ３は、レセプタクル３００における縮径部３１２の直径Ｄ４よりも小さい。そのため、ガス供給ノズル１００にレセプタクル３００を挿入するときに、ガス供給ノズル１００における接触部１５３の先端は、レセプタクル３００の外周面３１０に必ず接触して、中心軸ＯＬ１の外周から中心に向かってレセプタクル３００の外周面３１０を押圧する。よって、本実施例のガス供給ノズル１００では、ガス供給ノズル１００における水分除去部１５０の接触部１５３は、中心軸ＯＬ１外周から中心に向かってレセプタクル３００に押圧するので、レセプタクル３００の外周面３１０に付着している水滴ｗｄをより除去することができる。
【００５２】
また、本実施例のガス供給ノズル１００では、ガス供給ノズル１００における水分除去部１５０の接触部１５３は、複数の細かい毛状の材料から構成されている。接触部１５３は、挿入されるレセプタクル３００に対して中心軸ＯＬ１に沿って相対的に移動することで、レセプタクル３００の外周面３１０に付着している水滴ｗｄをガス供給ノズル１００の内部に入れないように外周面３１０に沿って外部に掻き出す。そのため、本実施例のガス供給ノズル１００では、接触部１５３が簡単な構成で外周面３１０に付着している水滴ｗｄを除去することができる。
【００５３】
また、本実施例のガス供給ノズル１００では、ガス供給ノズル１００は、略円筒状の部品であり、外管部１１０の内側に配置された内管部１４０を備えている。内管部１４０の内部には、水素ガスを供給する供給管１４３が形成され、供給管１４３は、ガス供給装置１０の供給ホース２３０に接続している。供給管１４３の先端部１４１には、吐出口１４２が形成されている。水分除去部１５０は、固定部１５２と、接触部１５３と、から形成されている。固定部１５２は、ガス供給ノズル１００における外管部１１０の先端部１１７に固定されている。レセプタクル３００をガス供給ノズル１００に挿入するときに、接触部１５３は、レセプタクル３００の外周面３１０に接触する。そのため、本実施例のガス供給ノズル１００では、ガス供給ノズル１００における外管部１１０の先端部１１７に固定された固定部１５２に形成された接触部１５３がレセプタクル３００の外周面３１０に付着した水滴ｗｄを除去することができる。
【００５４】
また、本実施例のガス供給ノズル１００では、ガス供給ノズル１００における水分除去部１５０の固定部１５２は、中心軸ＯＬ１を中心として略円筒状に形成され、ガス供給ノズル１００の先端部１１７に固定されている。中心軸ＯＬ１に垂直な面における固定部１５２の内周の直径はＤ２であり、レセプタクル３００における外大径部３１６の直径はＤ６である。固定部１５２の内周の直径Ｄ２は、レセプタクル３００の直径Ｄ６よりも大きい。そのため、本実施例のガス供給ノズル１００では、ガス供給ノズル１００とレセプタクル３００とが接続するときに、ガス供給ノズル１００における水分除去部１５０は、レセプタクル３００に干渉しないので、ガス供給ノズル１００とレセプタクル３００との接続の取り外しをスムーズに行うことができる。
【００５５】
また、本実施例のガス供給ノズル１００では、ガス供給ノズル１００にレセプタクル３００が挿入されるときに、レセプタクル３００に対してガス供給ノズル１００が移動する方向は、水平方向に対して角度θだけ下向きである。すなわち、レセプタクル３００がガス供給ノズル１００に対して相対移動する方向と重力方向とのなす角度は９０度未満となり、レセプタクル３００の外周面３１０に付着している水滴ｗｄは、重力方向に沿って除去しやすい。また、複数の水滴ｗｄが結合して１つの大きな水滴ｗｄを形成して、水滴ｗｄを除去しやすい。そのため、本実施例のガス供給ノズル１００では、レセプタクル３００の外周面３１０に付着した水滴ｗｄを重力の利用によって除去するので、除去した水滴ｗｄがガス供給ノズル１００とレセプタクル３００との接続部に再度付着することを抑制でき、効率良く水滴ｗｄを除去することができる。
【００５６】
（第１実施例の第１の変形例）
図７は、第１実施例の第１の変形例におけるガス供給ノズル１００ａにレセプタクル３００が挿入されている状態の一例を示す説明図である。図７に示す第１実施例の第１の変形例では、第１実施例と比べてガス供給ノズル１００ａに備えられた水分除去部１５０ａが異なる。
【００５７】
図７に示すように、第１実施例の第１の変形例では、水分除去部１５０ａの接触部１５３ａは、第１実施例と異なり、スポンジ状の材料で形成されている。ガス供給ノズル１００ａにレセプタクル３００を挿入するときに、接触部１５３ａは、中心軸ＯＬ１に垂直な面においてレセプタクル３００における外周面３１０の全周にわたって接触する。水分除去部１５０ａの固定部１５２ａは、先端部１１７の側の端部で開口部１１１よりも中心軸ＯＬ１側に突出しており、固定部１５２ａの内周面における最も小さい直径はＤ２ａである。固定部１５２ａの直径Ｄ２ａは、開口部１１１の直径Ｄ１よりも小さい。これにより、接触部１５３ａが開口部１１１から外管部１１０の内部に巻き込まれるのを抑制する。また、固定部１５２ａにおける内周面の直径Ｄ２ａは、レセプタクル３００における挿入大径部３１１の直径Ｄ５よりも小さいため、レセプタクル３００は、固定部１５２ａに干渉されずにガス供給ノズル１００ａに挿入される。また、固定部１５２ａにおける内周面の直径Ｄ２ａを第１実施例の固定部１５２における内周面の直径Ｄ２よりも小さくすることで、ガス供給ノズル１００にレセプタクル３００を挿入するときに、接触部１５３ａが給水した水分が絞られてガス供給ノズル１００の内部に浸入することを抑制している。なお、接触部１５３ａは、レセプタクル３００の外周面３１０に付着している水滴ｗｄをガス供給ノズル１００の内部に入れないように外周面３１０に沿って掻き出すような形状として形成しても良い。
【００５８】
以上説明したように、第１実施例の第１の変形例におけるガス供給ノズル１００ａでは、水分除去部１５０ａの接触部１５３ａがスポンジ状の材料で形成されている。そのため、第１実施例の第１の変形例におけるガス供給ノズル１００ａでは、ガス供給ノズル１００ａとレセプタクル３００とを接続するときに、接触部１５３ａがレセプタクル３００の外周面３１０に付着した水滴ｗｄを吸収することで、水滴ｗｄを除去するときの拭き残しを少なくすることができる。
【００５９】
（第１実施例の第２の変形例）
図８は、第１実施例の第２の変形例におけるガス供給ノズル１００ｂにレセプタクル３００が挿入されている状態の一例を示す説明図である。図８に示す第１実施例の第２の変形例では、第１実施例と比べてガス供給ノズル１００ｂに備えられた水分除去部１５０ｂが異なる。第１実施例の第２の変形例では、水分除去部１５０ｂの接触部１５３ｂは、中心軸ＯＬ１に沿って所定の厚さを有する分割された複数の平板で構成されている。
【００６０】
図９は、第１実施例の第２の変形例における水分除去部１５０ｂの詳細を示す説明図である。図９には、図８における断面Ｂ−Ｂを示している。接触部１５３ｂは、４つの平板部１５４に分割されている。平板部１５４の材質は、ゴムで、弾性であり、撥水性である。隣接する平板部１５４によって、所定の間隔１５５が形成されている。
【００６１】
以上説明したように、第１実施例の第２の変形例におけるガス供給ノズル１００ｂでは、水分除去部１５０ｂにおける接触部１５３ｂは、分割された４つの平板部１５４で構成されている。そのため、第１実施例の第２の変形例におけるガス供給ノズル１００ｂでは、ガス供給ノズル１００にレセプタクル３００を挿入するときに、水分除去部１５０ｂの接触部１５３ｂの挿入に対する抵抗が少なく、ガス供給ノズル１００にレセプタクル３００をスムーズに挿入させることができる。
【００６２】
（第１実施例の第３の変形例）
図１０は、第１実施例の第３の変形例におけるガス供給ノズル１００ｃにレセプタクル３００が挿入されている状態の一例を示す説明図である。図１０に示す第１実施例の第３の変形例では、第１実施例と比べてガス供給ノズル１００ｃに形成された水分除去部１５０ｃが異なる。図１０に示すように、第１実施例の第３の変形例における水分除去部１５０ｃは、第１実施例の第２の変形例における水分除去部１５０ｂに対して、さらに、第２の接触部１５６を備えている。第２の接触部１５６は、中心軸ＯＬ１に沿って所定の厚さを有する分割された複数の平板で構成されている。
【００６３】
図１１は、第１実施例の第３の変形例における水分除去部１５０ｃの詳細を示す説明図である。図１１には、図１０における断面Ｃ−Ｃを示している。第２の接触部１５６は、４つの平板部１５７に分割されている。平板部１５７の材質は、ゴムで、弾性であり、撥水性である。隣接する平板部１５７によって、所定の間隔１５８を形成している。第２の接触部１５６における間隔１５８は、接触部１５３ｂにおける間隔１５５に対して中心軸ＯＬ１を中心に４５度回転した位置、すなわち、間隔１５５とは異なる位置に形成されている。
【００６４】
以上説明したように、第１実施例の第３の変形例におけるガス供給ノズル１００ｃでは、水分除去部１５０ｃは、中心軸ＯＬ１に沿って接触部１５３ｂと第２の接触部１５６とを備えている。接触部１５３ｂは、４つの平板部１５４に分割され、隣接する平板部１５４は間隔１５５を形成している。また、第２の接触部１５６は、４つの平板部１５７に分割され、隣接する平板部１５７は間隔１５８を形成している。間隔１５５と間隔１５８とは、中心軸ＯＬ１に沿って異なる位置に形成されている。そのため、第１実施例の第３の変形例におけるガス供給ノズル１００ｃでは、ガス供給ノズル１００にレセプタクル３００を挿入するときに、接触部１５３ｂが除去できなかった水滴ｗｄを第２の接触部１５６が除去することができる。よって、第１実施例の第３の変形例におけるガス供給ノズル１００ｃでは、水分除去部１５０ｃにおける接触部１５３ｂおよび第２の接触部１５６による挿入への抵抗を少なくした上で、レセプタクル３００の外周面３１０に付着した水滴ｗｄの拭き残しを少なくすることができる。
【００６５】
（第１実施例の第４の変形例）
図１２は、第１実施例の第４の変形例におけるガス供給システム５００ｄの概略を示す説明図である。図１２では、ガス供給ノズル１００に水滴ｗｄが付着したレセプタクル３００ｄを挿入されている途中の状態を示している。図１２に示す第１実施例の第４の変形例におけるガス供給システム５００ｄでは、第１実施例におけるガス供給ノズル１００およびレセプタクル３００と比べてレセプタクル３００ｄに吸引管３６０を形成している点が異なる。
【００６６】
吸引管３６０は、外周面３１０ｄの内部に中心軸ＯＬ１を中心として略円筒状に形成されている。吸引管３６０は、レセプタクル３００ｄの縮径部３１２ｄにおける外周面３１０ｄの一部に吸引口３６１を有しており、基端がコンプレッサー（図示しない）と接続されている。吸引口３６１は、外周面３１０ｄの縮径部３１２ｄにおける周方向に沿って等間隔に複数（例えば６つ）形成されている。吸引管３６０の基端に接続されたコンプレッサーにより、吸引管３６０は、吸引口３６１からガス供給ノズル１００における水分除去部１５０の接触部１５３に付着している水滴ｗｄを吸引する。
【００６７】
以上説明したように、第１実施例の第４の変形例におけるガス供給システム５００ｄでは、レセプタクル３００ｄに形成された吸引管３６０は、吸引口３６１からガス供給ノズル１００における水分除去部１５０の接触部１５３に付着した水滴ｗｄを吸引する。そのため、第１実施例の第４の変形例では、ガス供給ノズル１００における水分除去部１５０の接触部１５３に水滴ｗｄが蓄積されるのを抑制することができるので、レセプタクル３００ｄの外周面３１０ｄに付着した水滴ｗｄの拭き残しを少なくすることができる。
【００６８】
Ｂ．第２実施例：
図１３は、第２実施例におけるレセプタクル３００ｅの概略構成を示す説明図である。図１３に示すように、第２実施例のレセプタクル３００ｅは、水分除去部３５０と、伸縮カバー３５８と、を備えており、第１実施例のレセプタクル３００と異なる。レセプタクル３００ｅは、本体部３０５と、水分除去部３５０と、を備える。本体部３０５は、ガス供給ノズル１００と接続されて水素ガスが供給される。
【００６９】
水分除去部３５０は、伸縮カバー３５８と、固定部３５２と、接触部３５３と、を備える。伸縮カバー３５８は、レセプタクル３００ｅの中心軸ＯＬ２を中心として、中心軸ＯＬ２に沿って伸縮自在な筒状のカバーである。伸縮カバー３５８の材質は、ゴムであり、撥水性である。
【００７０】
水分除去部３５０は、伸縮カバー３５８の先端に配置されている。固定部３５２は、中心軸ＯＬ２を中心として略円筒状に形成されている。固定部３５２は、中心軸ＯＬ１における伸縮カバー３５８と接合していないもう一方の端部の先端面３５４は、他の部分に比べて中心軸ＯＬ１に垂直な面における面積が大きくなっている。これにより、ガス供給ノズル１００にレセプタクル３００ｅを挿入するときに、固定部３５２がガス供給ノズル１００の先端部１１７（図２）に接する面積が大きくなり、ガス供給ノズル１００に対するレセプタクル３００ｅの位置決めが容易になる。固定部３５２がどこにも接触していないときに、伸縮カバー３５８は中心軸ＯＬ２に沿って伸びた状態であり、本体部３０５は、伸縮カバー３５８および水分除去部３５０によって内包されている。固定部３５２の先端面３５４における中心軸ＯＬ２を中心とした直径は、Ｄ２ｅであり、ガス供給ノズル１００における開口部１１１の直径Ｄ１（図２）よりも小さいのでガス供給ノズル１００にレセプタクル３００ｅを挿入するときに干渉しない。接触部３５３は、複数の細かい毛状の材料から形成、すなわち、ブラシ状に形成されている。
【００７１】
図１４は、ガス供給ノズル１００にレセプタクル３００ｅが挿入されている状態の一例を示す説明図である。中心軸ＯＬ１と中心軸ＯＬ２とが重なるようにガス供給ノズル１００にレセプタクル３００ｅが挿入されるときに、レセプタクル３００ｅの水分除去部３５０における固定部３５２の先端面３５４がガス供給ノズル１００の先端部１１７に接触する。先端面３５４が先端部１１７に接触すると、伸縮カバー３５８が中心軸ＯＬ１に沿って縮み始める。水分除去部３５０は、先端部１１７によって中心軸ＯＬ１に沿った移動が制限され、挿入されるレセプタクル３００ｅの本体部３０５に対して、中心軸ＯＬ１に沿って相対移動する。固定部３５２がガス供給ノズル１００の先端部１１７に接触し、さらに中心軸ＯＬ１に沿って本体部３０５がガス供給ノズル１００に近づくと、図１４に示すように、水分除去部３５０の接触部３５３は、本体部３０５の外周面３１０に接触して、中心軸ＯＬ１に沿って外周面３１０に付着している水滴ｗｄを掻き出す。
【００７２】
以上説明したように、第２実施例におけるレセプタクル３００ｅでは、水分除去部３５０は、伸縮自在な伸縮カバー３５８と固定部３５２と接触部３５３とを備える。伸縮カバー３５８が伸びた状態のときに、本体部３０５は、伸縮カバー３５８および水分除去部３５０によって内包されている。伸縮カバー３５８が縮み始めると、水分除去部３５０は、中心軸ＯＬ１に沿った移動が制限され、本体部３０５に対して相対移動する。さらに本体部３０５がガス供給ノズル１００に近づくと、接触部３５３は、本体部３０５の外周面３１０に接触して、外周面３１０に付着している水滴ｗｄを掻き出して除去する。そのため、第２実施例のレセプタクル３００ｅでは、レセプタクル３００ｅの固定部３５２がどこにも接触していないときに、本体部３０５が伸縮カバー３５８に内包されるので、外部からの雨水等の水分が本体部３０５に付着することがない。よって、第２実施例のレセプタクル３００ｅでは、ガス供給ノズル１００とレセプタクル３００ｅとが接続していないときにも、レセプタクル３００ｅの本体部３０５に水分が付着することをより抑制することができ、また、ガス供給ノズル１００に水分除去部１５０を備えなくても、水分の付着を抑制することができる。
Ｃ．変形例：
なお、この発明は上記の実施例や実施形態に限られるものではなく、その要旨を逸脱しない範囲において種々の態様において実施することが可能であり、例えば次のような変形も可能である。
【００７３】
Ｃ１．変形例１：
図１５は、変形例におけるガス供給ノズル１００ｆにレセプタクル３００を挿入されている状態の一例を示す説明図である。図１５に示す変形例におけるガス供給ノズル１００ｆでは、第１実施例のガス供給ノズル１００と比べて、外管部１１０および水分除去部１５０ｆの固定部１５２ｆに吸引管１７０が形成されている点が異なる。吸引管１７０は、水分除去部１５０ｆの固定部１５２ｆに開口された吸引口１７１を有しており、基端がコンプレッサー（図示しない）に接続されている。吸引口１７１は、中心軸ＯＬ１を中心とした固定部１５２ｆの内周面における周方向に沿って等間隔に複数（例えば６つ）形成されている。吸引管１７０の基端に接続されたコンプレッサーにより、吸引管１７０は、吸引口１７１から水分除去部１５０ｆの接触部１５３ｆに付着している水滴ｗｄを吸引する。この変形例におけるガス供給ノズル１００ｆでは、ガス供給ノズル１００ｆにおける水分除去部１５０ｆの接触部１５３ｆに水滴ｗｄが蓄積されるのを抑制することができるので、レセプタクル３００の外周面３１０に付着した水滴ｗｄの拭き残しを少なくすることができる。
【００７４】
Ｃ２．変形例２：
図１６は、変形例におけるガス供給システム５００ｇの概略を示す説明図である。図１６では、ガス供給ノズル１００に水滴ｗｄが付着したレセプタクル３００ｇが挿入されている途中の状態を示している。図１６に示す変形例におけるガス供給システム５００ｇでは、ガス供給ノズル１００およびレセプタクル３００ｇの両方に、レセプタクル３００ｇの外周面３１０に付着した水滴ｗｄを除去するための水分除去部１５０および水分除去部３５０ｇが配置されている。水分除去部３５０ｇの固定部３５２ｇにおける中心軸ＯＬ１に最も近い内周面の直径Ｄ２ｇは、水分除去部１５０に干渉しないようするために、水分除去部１５０の固定部１５２における外周面の直径Ｄ７よりも大きい。なお、水分除去部３５０ｇの接触部３５３ｇは、レセプタクル３００ｇにおける本体部３０５の外周面３１０に接触するために十分な長さを有している。この変形例におけるガス供給システム５００ｇでは、ガス供給ノズル１００における水分除去部１５０の接触部１５３およびレセプタクル３００における水分除去部３５０ｇの接触部３５３ｇがレセプタクル３００ｇの外周面３１０に付着した水滴ｗｄを除去するので、レセプタクル３００ｇに付着した水滴ｗｄの拭き残しをより少なくすることができる。
【００７５】
Ｃ３．変形例３：
上記第１実施例の第２の変形例におけるガス供給ノズル１００ｂの水分除去部１５０ｂでは、図９に示すように、接触部１５３ｂが分割された複数の平板部１５４によって形成されているが、必ずしも接触部１５３ｂが分割されて形成されなくてもよい。例えば、接触部１５３ｂが１つの中空状の円形状、すなわち、ドーナツ形状のゴム等で形成されていてもよい。
【００７６】
上記第１実施例の第２の変形例におけるガス供給ノズル１００ｂの水分除去部１５０ｂでは、図９に示すように、隣接する平板部１５４によって間隔１５５が形成されているが、必ずしも間隔１５５が形成する必要はなく、分割された平板部１５４の配置は、種々変形可能である。例えば、隣接する平板部１５４によって間隔１５５が形成されずに、隣接する平板部１５４の一部が重なり合っていてもよい。
【００７７】
Ｃ４．変形例４：
上記実施例では、ガス供給ノズル１００とレセプタクル３００とを接続するときに、ガス供給ノズル１００のロックピン１３０をレセプタクル３００の縮径部３１２に係止させることによって嵌合しているが、ガス供給ノズル１００とレセプタクル３００との接続方法は種々変形可能である。例えば、ガス供給ノズル１００にレセプタクル３００を挿入した後に、手動によって外部からの装置を取り付けて、ガスを供給するときのガス供給ノズル１００とレセプタクル３００とを固定してもよい。また、ガス供給ノズル１００ではなくレセプタクル３００が外管部を備え、ロックピン１３０をレセプタクル３００の外管部に形成してもよい。
【００７８】
上記実施例では、ガス供給ノズル１００とレセプタクル３００とを接続するときに、ガス供給ノズル１００にレセプタクル３００を挿入するとしたが、その逆も可能である。例えば、ガス供給ノズル１００が外管部１１０を有さない場合には、ガス供給ノズル１００とレセプタクル３００とを接続するときに、レセプタクル３００に内管部１４０を挿入してもよいし、レセプタクル３００はガス供給ノズル１００の外管部１１０よりも更に径の大きい外管部を有してもよい。
【００７９】
上記実施例のガス供給ノズル１００では、ガス供給ノズル１００にレセプタクル３００が挿入されるときに、レセプタクル３００がガス供給ノズル１００に対して相対移動する方向と重力方向とのなす角度は、９０度未満であるが、９０度未満でなくてもよく、種々変形可能である。レセプタクル３００がガス供給ノズル１００に対して相対移動する方向と重力方向とのなす角度が９０度以上であっても、レセプタクル３００の外周面３１０に付着した水滴ｗｄを除去することができる。
【００８０】
上記第１実施例の第４の変形例のガス供給システム５００ｄでは、レセプタクル３００ｄに水分除去部１５０の接触部１５３に付着した水滴ｗｄを吸引する吸引管３６０の吸引口３６１は、外周面３１０ｄの縮径部３１２ｄに形成されているが、形成される位置は種々変形可能である。例えば、外周面３１０ｄの挿入大径部３１１に形成されてもよいし、縮径部３１２ｄおよび挿入大径部３１１の両方に形成されてもよい。
【００８１】
上記実施例のレセプタクル３００では、外周面３１０に外大径部３１６が形成されているが、必ずしも必要ではなく、種々変形可能である。例えば、外周面３１０における挿入大径部３１１の直径Ｄ５と外大径部３１６の直径Ｄ６が同じであってもよい。
【００８２】
上述した実施形態、実施例および変形例における構成要素のうち、請求項に記載された要素以外の要素は、付加的な要素であり、適宜省略、または、組み合わせが可能である。
【符号の説明】
【００８３】
１０…ガス供給装置
５０…燃料電池搭載車両
１００…ガス供給ノズル
１１０…外管部
１１１…開口部
１１３…外周壁
１１４…内周面
１１５…内周壁
１１６…空間部
１１７…先端部
１２０…スリーブ
１３０…ロックピン
１３１…突起部
１３２…背面部
１４０…内管部
１４１…先端部
１４２…吐出口
１４３…供給管
１４４…Ｏリング
１４５…当接部
１４６…外周面
１５０…水分除去部
１５２…固定部
１５３…接触部
１５４…平板部
１５５…間隔
１５６…第２の接触部
１５７…平板部
１５８…間隔
１６０…駆動装置
１７０…吸引管
１７１…吸引口
２１０…水素貯蔵タンク
２２０…バルブ
２３０…供給ホース
３００…レセプタクル
３０５…本体部
３１０…外周面
３１１…挿入大径部
３１２…縮径部
３１４…先端径部
３１５…先端面
３１６…外大径部
３１８…挿入接触面
３２１…受入口
３２５…受入管
３２７…内周面
３３１…Ｏリング
３３２…Ｏリング
３５０…水分除去部
３５２…固定部
３５３…接触部
３５４…先端面
３５８…伸縮カバー
３６０…吸引管
３６１…吸引口
４１０…車載タンク
４１２…供給管
４１４…供給管
４２０…燃料電池
５００…ガス供給システム
ｗｄ…水滴
ＯＬ１…中心軸
ＯＬ２…中心軸
【図１】
2013164142.tif 000003
【図２】
2013164142.tif 000004
【図３】
2013164142.tif 000005
【図４】
2013164142.tif 000006
【図５】
2013164142.tif 000007
【図６】
2013164142.tif 000008
【図７】
2013164142.tif 000009
【図８】
2013164142.tif 000010
【図９】
2013164142.tif 000011
【図１０】
2013164142.tif 000012
【図１１】
2013164142.tif 000013
【図１２】
2013164142.tif 000014
【図１３】
2013164142.tif 000015
【図１４】
2013164142.tif 000016
【図１５】
2013164142.tif 000017
【図１６】
2013164142.tif 000018